(57)【要約】      （修正有）【課題】スライドファスナーを用いる収納袋であって、胴部の形状を保ち易くすると共に、一対のエレメント列やスライダーが胴部の外観に与える影響を小さくし、しかも胴部の手触りをできるだけ柔らかくすることのできる収納袋を提供する。【解決手段】帯３の内面であって幅方向の両縁部に沿って一対のエレメント列４，４が固定される帯体２と、螺旋状に巻かれる帯体２の幅方向に隣接する一対のエレメント列４，４を噛合するスライダー６とを備える収納袋である。そして一対のエレメント列４，４が噛合されることにより筒状の胴部１ｃと胴部１ｃの下側を塞ぐ底部１ｂと胴部１ｃの上側を塞ぐ蓋部１ａとが形成されると共に、噛合された一対のエレメント列４，４により形成される螺旋状のフレーム８が胴部１ｃと底部１ｂと蓋部１ａの内面に配置されることを特徴とする。【選択図】図１
0003185480.tif 000002
【実用新案登録請求の範囲】
【請求項１】
帯（３）の内面であって幅方向の両縁部に沿って一対のエレメント列（４，４）が固定される帯体（２）と、螺旋状に巻かれる前記帯体（２）の幅方向に隣接する一対の前記エレメント列（４，４）を噛合するスライダー（６）とを備え、
一対の前記エレメント列（４，４）が噛合されることにより筒状の胴部（１ｃ）と前記胴部（１ｃ）の下側を塞ぐ底部（１ｂ）と前記胴部（１ｃ）の上側を塞ぐ蓋部（１ａ）とが形成されると共に、噛合された一対の前記エレメント列（４，４）により形成される螺旋状のフレーム（８）が前記胴部（１ｃ）と前記底部（１ｂ）と前記蓋部（１ａ）の内面に配置されることを特徴とする収納袋。
【請求項２】
前記胴部（１ｃ）において前記帯（３）は、前記帯（３）よりも細い幅の細帯（３ａ）を複数備えると共に、前記複数の細帯（３ａ）を幅方向に隣り合わせて並列させると共に、幅方向の最も両外側の前記細帯（３ａ）にはその幅方向の両外側縁部に沿って前記エレメント列（４）が固定され、
前記複数の細帯（３ａ）における互いに隣り合う幅方向の縁部同士が、その外面側を内面側に向かって折り曲げられた状態で重ね合わされて内面側において連結されていることを特徴とする請求項１に記載の収納袋。
【請求項３】
一対の前記エレメント列（４，４）の噛合が解放された状態において前記帯体（２）は、直線的に延長すると共に前記胴部（１ｃ）を構成する帯体本体部（２ａ）と、前記帯体本体部（２ａ）の長手方向の両端部から前記帯体本体部（２ａ）の長手方向の中心点に対して点対称的に屈曲する方向に延長すると共に前記蓋部（１ａ）及び前記底部（１ｂ）を別々に形成する第１の帯体転向部（２ｅ）及び第２の帯体転向部（２ｆ）とを備え、
前記帯体本体部（２ａ）は、幅方向に隣り合わせて並列させた２本の前記細帯（３ａ）の両内側縁部同士が縫合されており、
点対称的な関係にある前記第１の帯体転向部（２ｅ）と前記第２の帯体転向部（２ｆ）とは、前記帯体本体部（２ａ）を構成する２本の前記細帯（３ａ）のうち互いに異なる方から延長する前記細帯（３ａ）を前記帯体本体部（２ａ）に対して屈曲させ、屈曲させた部分を折り返すことによって隣り合う内側縁部同士を縫合されており、
前記第１の帯体転向部（２ｅ）の前記エレメント列（４）と前記第２の帯体転向部（２ｆ）の前記エレメント列（４）のうち少なくとも一方は、前記帯体本体部（２ａ）の長手方向の端部の前記エレメント列（４）に前記スライダー（６）で噛合されていることを特徴とする請求項２記載の収納袋。
【考案の詳細な説明】
【技術分野】
【０００１】
本考案は、主にスライドファスナーで構成される収納袋に関する。
【背景技術】
【０００２】
スライドファスナーで構成される収納袋としては、螺旋状に巻く帯と、帯の幅方向の両縁部に沿って固定された一対のエレメント列とを備え、噛合させた一対のエレメント列が螺旋状となった状態で袋の外面側に露出するものが知られている（特許文献１）。
【０００３】
また別の収納袋としては、複数のスライドファスナーより構成され、各スライドファスナーの一対のテープを環状に連結すると共に、これらスライドファスナーをテープの幅方向に隣り合わせて並列し、隣り合うテープ同士を連結したものが知られている（特許文献２）。
【先行技術文献】
【特許文献】
【０００４】
【特許文献１】米国特許第７５０９９８５号明細書
【特許文献２】実用新案登録第３１３１５８５号公報
【考案の概要】
【考案が解決しようとする課題】
【０００５】
しかしながら特許文献１の収納袋は、その外面側にエレメント列を露出させる構成であるため、エレメント列が外観に与える影響は大きいものである。しかも螺旋状に噛合された一対のエレメント列は、収納袋の形状を定めるフレームとして機能するが、フレームが収納袋の外面に露出する構成であるため、エレメント列の硬さによって全体がごわごわした硬い手触りのするものであった。
【０００６】
また特許文献２の収納袋は、その内面側にエレメント列を隠すように配置させる構成であるため、エレメント列が胴部の外観に与える影響は小さい。しかし噛合する一対のエレメント列がテープの幅方向に並列して分離し、エレメント列を固定するテープ同士が連結される形なので、噛合させたエレメント列が何本も平行に独立しており（連結しておらず）、収納袋の形状を定めるフレームとしての機能が十分とは言えない。また並列するスライドファスナー毎に１つのスライダーが必要なものであり、必然的にスライダーの個数の多いものとなる。
【０００７】
本考案は、上記実情を考慮したもので、形状を保ち易くすると共に、一対のエレメント列やスライダーが外観に与える影響を小さくし、しかも手触りをできるだけ柔らかくすることのできる収納袋の提供を目的とする。
【課題を解決するための手段】
【０００８】
本考案の収納袋は、帯の内面であって幅方向の両縁部に沿って一対のエレメント列が固定される帯体と、螺旋状に巻かれる帯体の幅方向に隣接する一対のエレメント列を噛合するスライダーとを備える。そして一対のエレメント列が噛合されることにより筒状の胴部と胴部の下側を塞ぐ底部と胴部の上側を塞ぐ蓋部とが形成されると共に、噛合された一対のエレメント列により形成される螺旋状のフレームが胴部と底部と蓋部の内面に配置されることを特徴とする。
【０００９】
また胴部において帯は、一本の生地で形成されていても良いが、胴部の手触り感を柔らかくするには次のようにすることが望ましい。
すなわち胴部において帯は、帯よりも細い細帯を複数備えると共に、前記複数の細帯を幅方向に隣り合わせて並列させると共に、幅方向の最も両外側の細帯にはその幅方向の両外側縁部に沿ってエレメント列が固定され、複数の細帯における互いに隣り合う幅方向の縁部同士が、その外面側を内面側に向かって折り曲げられた状態で重ね合わされて内面側において連結されていることである。
ちなみに帯を構成する細帯は複数であるので、２本に限らず、３本以上であっても良い。従って「幅方向の最も両外側の細帯」とは、細帯が３本であれば両外側の細帯のことであって、真ん中の細帯のことではなく、細帯が２本であればその２本の細帯のことである。
【００１０】
収納袋のより具体的な構成としては、次のものがある。
すなわち一対のエレメント列の噛合が解放された状態において帯体は、直線的に延長すると共に前記胴部を構成する帯体本体部と、帯体本体部の長手方向の両端部から帯体本体部の長手方向の中心点に対して点対称的に屈曲する方向に延長すると共に蓋部及び底部を別々に形成する第１の帯体転向部及び第２の帯体転向部とを備えるものとする。帯体本体部は、幅方向に隣り合わせて並列させた２本の細帯の両内側縁部同士が縫合されている。点対称的な関係にある第１の帯体転向部と第２の帯体転向部とは、帯体本体部を構成する２本の細帯のうち互いに異なる方から延長する細帯を帯体本体部に対して屈曲させ、屈曲させた部分を折り返すことによって隣り合う内側縁部同士を縫合されている。従って第１の帯体転向部は、帯体本体部を構成する２本の細帯のうち一方から延長する細帯を帯体本体部に対して屈曲させ、第２の帯体転向部は、帯体本体部を構成する２本の細帯の他方から延長する細帯を帯体本体部に対して屈曲させることになる。そして第１の帯体転向部のエレメント列と第２の帯体転向部のエレメント列のうち少なくとも一方は、帯体本体部の長手方向の端部のエレメント列にスライダーで噛合されているものとする。
【考案の効果】
【００１１】
本考案の収納袋によれば、帯の内面にエレメント列が固定されているので、噛合した一対のエレメント列により形成される螺旋状のフレームが収納袋の内面に配置され、そのフレームの外面に帯が配置されることになり、その結果、収納袋の形状が保ち易くなる。またフレームが収納袋の内面に配置されて外部からは隠れるようになることから、一対のエレメント列が収納袋の外観に与える影響が小さくなる。しかも収納袋の手触りは帯の手触りとなるので、一対のエレメント列が外部に露出するものに比べれば、手触りが柔らかくなる。
【００１２】
また帯体本体部において帯を、複数の細帯を幅方向に隣り合わせて並列して備えているものとし、並列する細帯の幅方向に隣り合う縁部同士を、その外面側を内面側に向かって折り曲げた状態で重ね合わされて内面側において連結されているものとすれば、細帯同士が連結されている部分が収納袋の内側に凹み、細帯とエレメント列が連結されている部分が収納袋の外側に膨らむようになり、収納袋がふわふわとした感じになる。
【００１３】
さらに胴部を構成する帯体本体部の長手方向の中心点に対して、蓋部を構成する第１の帯体転向部と、底部を構成する第２の帯体転向部とを点対称的に形成してあれば、蓋部と胴部とが同様の形状をした収納袋となる。
【図面の簡単な説明】
【００１４】
【図１】本考案の第一実施形態の収納袋を示す一部拡大正面図である。
【図２】第一実施形態の収納袋の一部を開いた状態を示す一部拡大正面図である。
【図３】第一実施形態の収納袋を展開する過程を示す平面図である。
【図４】第一実施形態の収納袋を示す展開図である。
【図５】図１のＶ−Ｖ線切断部断面図である。
【図６】本考案の第二実施形態の収納袋における要部を示す切断部断面図である。
【考案を実施するための形態】
【００１５】
図１〜図５に示すように本考案の第一実施形態の収納袋１は、部位として、対向する状態で上下に離隔する蓋部１ａ及び底部１ｂと、蓋部１ａ及び底部１ｂを繋ぐ筒状の胴部１ｃとを備え、胴部１ｃの上側及び下側を蓋部１ａ及び底部１ｂで塞いでいる。また構成要素として第一実施形態の収納袋１は、１本の帯体２と、螺旋状に巻いた帯体２の幅方向に隣接する端部同士を噛合する２つのスライダー６とを備えている。
【００１６】
帯体２は、１本の帯３と一対のエレメント列４，４とを備え、帯３の内面であって幅方向の両縁部に沿って（縁部の長手方向に沿って）一対のエレメント列４，４が縫合によって固定されたものである。また帯体２は、帯３よりも細い（幅の狭い）２本の細帯３ａとしてのテープ３ａと、各テープ３ａの幅方向の一縁部に沿って固定されるエレメント列４とを主体として、いわゆる２本のファスナーストリンガー５，５を主体として構成されている。従って２本のファスナーストリンガー５，５とスライダー６とを備える収納袋１は、スライドファスナーにより形成されていると言える。なお以後の説明においては、テープ３ａの幅方向の両縁部のうちエレメント列４が固定されている方を「一縁部」と称し、一縁部とは反対側すなわちエレメント列４が固定されていない方を「他縁部」と称する。
【００１７】
エレメント列４は、各テープ３ａの内面に縫い糸で固定されている。またテープ３ａの内面とは、収納袋１の外観を構成しない面であり、収納袋１の外面すなわち収納袋１の外観を構成する面とは反対側の面である。また図５では、テープ３ａの大半は一縁部へ向かって上下方向に延長する形態となっていて、その延長する形態の内面にエレメント列４が固定されている。
またエレメント列４は、図示の例では、多数のエレメントがコイル状に繋がれている合成樹脂製の連続エレメントによって形成されたものであり、この連続エレメントは、その長手方向に間隔をあけて設けられた多数の噛合部４ｂと、隣り合う噛合部４ｂの端部同士を連結する連結部４ａとから構成され、多数の連結部４ａがテープ３ａに固定され、噛合部４ｂがテープ３ａの幅方向から突出している。従って一対のエレメント列４，４を噛合させた状態では、幅方向に隣り合う帯３のテープ３ａ同士の間に形成される僅かな隙間よりも内側に噛合部４ｂが配置される。
【００１８】
スライダー６は、対向する上翼板６１及び下翼板６２と、上下翼板６１，６２の少なくとも一方の幅方向の両縁部から他方の両縁部に向かって間隔を狭めるように突出するフランジ（図示せず）と、上下翼板６１，６２の間を幅方向中央部で連結する案内柱６３と、引手６４と、引手６４を上翼板６１に対して揺動可能に取り付けるために上翼板６１の上に設けられる引手取付部６５とを備え、上翼板６１と下翼板６２の間にＹ字状のエレメント案内路を形成するものである。スライダー６を前進させることによって一対のエレメント列４，４が噛合し、スライダー６を後退させることによって一対のエレメント列４，４の噛合が解放される。
【００１９】
一対のエレメント列４，４の噛合が解放された状態すなわち完全に開いた状態の帯体２の内面が図４には示されている。帯体２は、直線的に延長する帯体本体部２ａと、帯体本体部２ａの長手方向の一端部から帯体本体部２ａに対して屈曲する方向に延長する第１の帯体転向部２ｅと、帯体本体部２ａの他端部から帯体本体部２ａに対して屈曲する方向に延長する第２の帯体転向部２ｆと、帯体本体部２ａに対する第１の帯体転向部２ｅの連続部分に相当する屈曲部の内面側に重なるようにして屈曲部の内周側から外周側を通過するように延長する第１の帯体余剰部２ｕと、帯体本体部２ａに対する第２の帯体転向部２ｆの連続部分に相当する屈曲部の内面側に重なるようにして屈曲部の内周側から外周側を通過するように延長する第２の帯体余剰部２ｖとを備えている。そして帯体２は、帯体本体部２ａの長手方向の中心点に対して第１の帯体転向部２ｅと第２の帯体転向部２ｆとを点対称的な関係に形成すると共に、第１の帯体余剰部２ｕと第２の帯体余剰部２ｖとを点対称的な関係に形成してある。因みに図４にはスライダー６の下翼板６２が示されており、帯体２において下翼板６２側の面（図４の紙面に対する手前側の面）が、帯体２の内面に相当し、帯体２において上翼板６１や引手６４側の面が帯体２の外面に相当する。
【００２０】
帯体本体部２ａにおいて２本のテープ３ａは、幅方向に隣り合うように並列し、その隣り合う幅方向の他縁部（内側縁部）同士を長さ方向に沿って縫合してある。より詳しく言えば、２本のテープ３ａの内側縁部同士を互いの外面側が接するように重ね合わせ、重ね合わせ部分を内面側から長手方向に沿って縫合して固定してある。このように縫合して固定した場合には、テープ３ａの元外面であっても重ね合わせ部分（縫合箇所よりも内面側に突出する部分）は、帯３やテープ３ａの本考案でいう外面に含まれず、内面に含まれる。このようにして縫合されて1本化された帯３を構成する２本のテープ３ａの幅方向の内側縁部は、各テープ３ａの幅方向の他縁部である。また縫合されて１本化された帯３の幅方向の外側縁部は、各テープ３ａの幅方向の一縁部であるので、その長手方向の全長に沿ってエレメント列４が固定されている。
【００２１】
第１の帯体転向部２ｅは、帯体本体部２ａから延長する２本のテープ３ａのうち一方（延長部分が長い方）より形成される。この長い方のテープ３ａを直線的に延長する帯体本体部２ａに対して屈曲（より詳しくは鋭角に屈曲）させ、その他縁部が対称軸となるようにして折り返すと共に折り返しによって隣り合う他縁部同士を縫合し、長い方のテープ３ａの先端部のエレメント列４を、帯体本体部２ａの一方のエレメント列４に接近させてスライダー６により噛合させてある。ちなみにここでの縫合も、帯体本体部２ａでのテープ３ａ同士の縫合と同様に行われ、元の重ね合わせ部分は、帯３等の内面に配置される。またテープ３ａの折り返し部分は、第１の帯体転向部２ｅの先端部に相当することから、第１の帯体転向部２ｅは、その幅方向の両外側縁部だけでなく、先端部の外周縁部にもエレメント列４が配置される。
ちなみに第２の帯体転向部２ｆは、帯体本体部２ａから延長する２本のテープ３ａのうち他方（第１の帯体転向部２ｅで用いたテープ３ａとは異なる方のテープ３ａであって且つ延長部分が長い方）より形成される。なお第２の帯体転向部２ｆの詳細は、第１の帯体転向部２ｅと点対称的な関係にあるので説明を省略する。
【００２２】
第１の帯体余剰部２ｕは、第１の帯体転向部２ｅから延長する一方のテープ３ａ（帯体本体部２ａから延長する２本のテープ３ａのうち長い方）のエレメント列４と、帯体本体部２ａから延長する他方（延長部分が短い方）のテープ３aのエレメント列４との噛合によって一本化されている部分である。また第１の帯体余剰部２ｕは、第１の帯体転向部２ｅ及び帯体本体部２ａに連続する側の端部を、第１の帯体転向部２ｅの内面側に重ね合わせる状態で縫合されており、この縫合糸７は、スライダー６の後退端の位置を定める止め部としての機能を発揮する。ちなみに縫合糸７は、一対のエレメント列４，４に対して交差する方向（一体化された２本のテープ３ａ，３ａの幅方向）に沿って縫合されている。また縫合する際には、第１の帯体転向部２ｅの長い方のテープ３ａは、その他縁部の表面を第１の帯体余剰部２ｕの外面に重ね合わせて、内面側から縫合してある。
なお第２の帯体余剰部２ｖは、第１の帯体余剰部２ｕと点対称的な関係にあるので説明を省略する。
【００２３】
上記した第一実施形態の収納袋１は、２本のファスナーストリンガー５，５と、２つのスライダー６を用いて例えば次の手順で製造される。ちなみに２本のファスナーストリンガー５，５は長さ寸法及び幅寸法を同じくし、しかも全長に亘って幅寸法を均一としてある。また縫合の詳細については既に詳述したので手順の説明を省略する。
（１）二本のファスナーストリンガー５の両端を揃えると共に、幅方向に一対のエレメント列４，４を隣り合わせ、隣接する一対のエレメント列４，４に対して長手方向の両側からスライダー６を挿入し、二本のファスナーストリンガー５の長手方向の両先端部を噛合させることにより、第１と第２の帯体余剰部２ｕ，２ｖを作る。
（２）二本のファスナーストリンガー５の長手方向の一端部側において、一方のファスナーストリンガー５を先端から所定長さの位置で、他縁部を対称軸とするようにして折り返し、隣り合う他縁部同士を縫合し、第１の帯体転向部２ｅを作る。
（３）二本のファスナーストリンガー５の長手方向の他端部側においても（２）と同様に作業して、第２の帯体転向部２ｆを作る。但し（２）で折り返した一方のファスナーストリンガー５とは別の他方のファスナーストリンガー５に対して（２）と同様に作業する。
（４）第１と第２の帯体転向部２ｅ，２ｆの間には２本のファスナーストリンガー５，５が幅方向に分離する状態で存在するので、これらの他縁部同士を縫合し、帯体本体部２ａを作成する。また第１の帯体余剰部２ｕを第１の帯体転向部２ｅの内面側に重ね合わせると共に、第１の帯体転向部２ｅの内周側から外周側を通過するように配置して、第１の帯体余剰部２ｕを第１の帯体転向部２ｅに縫合し、この縫合に用いられた糸が止め部としての縫合糸７となる。第２の帯体余剰部２ｖも同様にして第２の帯体転向部２ｆに縫合する。
【００２４】
上記した第一実施形態の収納袋１は、スライダー６を前進させることによって、一対のエレメント列４，４が噛合され、その結果、第１の帯体転向部２ｅが底部１ｂに、第２の帯体転向部２ｆが蓋部１ａに、帯体本体部２ａが胴部１ｃになり、全体として袋状となる。また蓋部１ａ、底部１ｂ、胴部１ｃのいずれも外面にはテープ３ａが露出することになり、蓋部１ａ、底部１ｂ、胴部１ｃの内面には一対のファスナーストリンガー５，５が隠れるようにして配置される。そして噛合された一対のエレメント列４，４によってフレーム８が形成される。螺旋状のフレーム８が収納袋１の帯３を外側に押し出すような力を発揮し、テープ３ａ同士が連結されている部分が収納袋１の内側に凹み、テープ３ａとエレメント列４が連結されている部分が収納袋１の外側に膨らむようになり、全体としてふわふわした手触りとなる。また蓋部１ａ及び底部１ｂが細長い形状であるため、収納袋１は平面視すれば細長い楕円状の形状となる。
【００２５】
図６には本考案の第二実施形態の収納袋１の要部が示されている。第二実施形態の収納袋１は、帯３を構成する細帯３ａを３本としたことが、第一実施形態の収納袋１と相違するものである。より詳しく言えば少なくとも帯体本体部２ａにおいて帯３は、３本の細帯３ａとしてのテープ３ａより構成される。３本のテープ３ａのうち２本のテープ３ａの一縁部には第一実施形態と同様にエレメント列４が固定され、残りの１本のテープ３ａは装飾専門のテープ３ａであってエレメント列４が固定されない。そして３本のテープ３ａを幅方向に隣り合うように並列し、幅方向の中央には装飾専門のテープ３ａが位置し、幅方向の両側には他の２本のテープ３ａを互いのエレメント列４が幅方向の外側に配置されるようにする。そして３本のテープ３ａは、互いに隣り合う幅方向の縁部同士を第一実施形態と同様に長さ方向に沿って縫合してある。
【００２６】
本考案は上記実施形態に限定されるものではなく、その趣旨を逸脱しない範囲において適宜変更可能である。例えば、エレメント列４の固定の仕方は、テープ３ａの内面に固定する仕方に限らず、俗に言う隠しスライドファスナーに採用されるエレメント列４の固定の仕方であっても良い。図示しないが隠しスライドファスナーとは、一対のエレメント列を噛合させたときにテープでエレメント列を隠すことのできるものである。より詳しく言えば、隠しスライドファスナーは、一対のファスナーストリンガーと、スライダーとで構成される。
ファスナーストリンガーは、テープの幅方向の一縁部が断面Ｕ字状に折り曲げられ、折り曲げられた部分の内面（折り曲げられる前は外面）にその長手方向に沿ってエレメント列が取り付けられている。
またスライダーは、下翼板と、下翼板の幅方向の両縁部から上方に突出した後に幅方向の内側に屈曲する一対のフランジと、下翼板の幅方向の中央部から上方に突出する案内柱と、案内柱の上端に設けられる引手取付部と、引手取付部に揺動可能に支持される引手とから構成され、下翼板の上側にフランジと案内柱とで区画されたＹ字状のエレメント案内路を形成するものである。
【００２７】
その他にエレメント列４は、連続エレメントに限らず、各テープ３ａの長さ方向に沿って間隔をおいて設けられた多数の独立するエレメントによって形成されていても良く、この場合エレメントを隠す別の帯をテープ３ａの外面側に固定するようにする。なお第１と第２の帯体余剰部２ｕ、２ｖは無いものであっても良い。なおスライダー６は、一対のエレメントに対して２個設ける構成に限らず、１つのみ設けても良く、この場合帯体本体部２ａの一端部に対して第１の帯体転向部２ｅ又は第２の帯体転向部２ｆがスライダー６により噛合されることになる。
【符号の説明】
【００２８】
１  収納袋
１ａ蓋部
１ｂ底部
１ｃ胴部
２  帯体
２ａ帯体本体部
２ｅ第１の帯体転向部
２ｆ第２の帯体転向部
２ｕ第１の帯体余剰部
２ｖ第２の帯体余剰部
３  帯
３ａ細帯（テープ）
４  エレメント列
４ａ連結部
４ｂ噛合部
５ファスナーストリンガー
６スライダー
６１上翼板
６２下翼板
６３案内柱
６４引手
６５引手取付部
７縫合糸
８フレーム
【図１】
0003185480.tif 000003
【図２】
0003185480.tif 000004
【図３】
0003185480.tif 000005
【図４】
0003185480.tif 000006
【図５】
0003185480.tif 000007
【図６】
0003185480.tif 000008